(57)【要約】  【課題】  複数の端末装置間で無線設定情報を次々に転送することのできる端末装置を提供する。  【解決手段】  端末装置Ｙは、他の端末装置Ｘから無線設定情報セットを受信すると、その無線設定情報セットの中で自装置が採用している通信方式Ａに対応する無線設定情報ａを再構成し、自装置が採用していない通信方式に対応する無線設定情報ｂと再構成された無線設定情報ａ’とを含んだ無線設定情報セットを新しい無線設定情報セットとして保存し、その新しい無線設定情報セットを、さらに他の端末装置Ｚへ転送する。これにより、複数の端末装置Ｘ、Ｙ、Ｚ間で無線設定情報が次々に転送されていく途中に、ある通信方式Ｂを採用していない端末装置Ｙが介在した場合であっても、最初の端末装置Ｘから転送されたすべての無線設定情報を、その途中の端末装置Ｙで途絶えることなく最後の端末装置Ｚまで転送することができる。【選択図】  図１
2011061282.tif 000002
【特許請求の範囲】
【請求項１】
複数の端末装置間において無線設定情報が転送される端末装置であって、
無線設定情報の転送元である第１の他の端末装置から、複数の通信方式に対応する複数の無線設定情報を含んだ無線設定情報セットを受信する受信手段と、
前記無線設定情報セットの中で自装置が採用している通信方式に対応する無線設定情報を再構成する再構成手段と、
前記無線設定情報セットの中で自装置が採用していない通信方式に対応する無線設定情報と前記再構成された無線設定情報とを含んだ無線設定情報セットを、新しい無線設定情報セットとして保存する保存手段と、
前記新しい無線設定情報セットを、無線設定情報の転送先である第２の他の端末装置へ転送する転送手段と、
を備えたことを特徴とする端末装置。
【請求項２】
無線通信を行うときに自装置が採用する通信方式の優先度に基づいて、前記第１の他の端末装置から受信した前記無線設定情報セットの中で自装置が採用している通信方式に対応する無線設定情報の優先度を設定する優先度設定手段を備え、
前記保存手段は、前記優先度が設定された無線設定情報と前記優先度が設定されていない無線設定情報とを含んだ無線設定情報セットを、前記新しい無線設定情報セットとして保存し、
前記転送手段は、前記優先度が設定された無線設定情報と前記優先度が設定されていない無線設定情報とを含んだ前記新しい無線設定情報セットを、前記第２の他の端末装置へ転送することを特徴とする請求項１に記載の端末装置。
【請求項３】
複数の端末装置間において無線設定情報が転送される無線通信システムであって、
前記無線通信システムを構成する端末装置は、
無線設定情報の転送元である第１の他の端末装置から、複数の通信方式に対応する複数の無線設定情報を含んだ無線設定情報セットを受信する受信手段と、
前記無線設定情報セットの中で自装置が採用している通信方式に対応する無線設定情報を再構成する再構成手段と、
前記無線設定情報セットの中で自装置が採用していない通信方式に対応する無線設定情報と前記再構成された無線設定情報とを含んだ無線設定情報セットを、新しい無線設定情報セットとして保存する保存手段と、
前記新しい無線設定情報セットを、無線設定情報の転送先である第２の他の端末装置へ転送する転送手段と、
を備えたことを特徴とする無線通信システム。
【請求項４】
複数の端末装置間において無線設定情報を転送する方法であって、
無線設定情報の転送元である第１の他の端末装置から、複数の通信方式に対応する複数の無線設定情報を含んだ無線設定情報セットを受信し、
前記無線設定情報セットの中で自装置が採用している通信方式に対応する無線設定情報を再構成し、
前記無線設定情報セットの中で自装置が採用していない通信方式に対応する無線設定情報と前記再構成された無線設定情報とを含んだ無線設定情報セットを、新しい無線設定情報セットとして保存し、
前記新しい無線設定情報セットを、無線設定情報の転送先である第２の他の端末装置へ転送することを特徴とする方法。
【発明の詳細な説明】
【技術分野】
【０００１】
本発明は、複数の端末装置間において無線設定情報が転送される端末装置に関するものである。
【背景技術】
【０００２】
従来、複数の端末装置間において無線設定情報が転送される通信システムとして、他の端末装置から受信した設定情報（仮設定情報）を利用するものが提案されている（例えば特許文献１参照）。この従来の通信システムでは、他の端末装置（親端末）から受信した設定情報（仮設定情報）に基づいて、端末装置（子端末）が設定情報を生成して、他の端末装置（親端末）との無線通信が行われる。
【先行技術文献】
【特許文献】
【０００３】
【特許文献１】特開２００５−３４７９１１号公報
【発明の概要】
【発明が解決しようとする課題】
【０００４】
しかしながら、従来の通信システムは、二つの端末装置間（親端末と子端末との間）において無線接続設定を簡単に行うことを目的としており、三つ以上の端末装置間で無線設定情報を転送するときにも、図５のように一つの親端末から複数の子端末へ無線設定情報を転送することしか想定されておらず、図６のように親端末から子端末、子端末から孫端末へ無線設定情報を転送することが想定されていないという問題があった。このことは、図５および図６を参照しながら以下説明するように、それぞれの端末装置が採用している通信方式が互いに異なる場合を想定すれば明らかである。
【０００５】
例えば、図５では、ある端末装置Ｘ（親端末）が通信方式ＡとＢを採用しており、端末装置Ｙ（子端末）が通信方式Ａのみを採用し、端末装置Ｚ（子端末）が通信方式ＡとＢを採用している（ここで、通信方式Ａの設定情報は、設定情報ａであり、通信方式Ｂの設定情報は、設定情報ｂである）。この場合には、一つの親端末（端末装置Ｘ）から二つの子端末（端末装置Ｙ、Ｚ）へそれぞれ無線設定情報を転送することによって、いずれの子端末（端末装置Ｙ、Ｚ）でも無線接続設定を行うことができるのである。
【０００６】
ところが、従来の通信システムでは、図６に示すように、複数の端末装置間で無線設定情報が次々に転送されていくような場合（例えば、親端末から子端末、子端末から孫端末へ無線設定情報が転送される場合）には、その途中に、ある通信方式を採用していない端末装置（例えば、子端末）が介在すると、最後の端末装置（例えば、孫端末）まで無線設定情報が転送されず、最後の端末装置（例えば、孫端末）で無線接続設定を行うことができないことがあるという問題があった。
【０００７】
例えば、図６では、ある端末装置Ｘ（親端末）が通信方式ＡとＢを採用しており、端末装置Ｙ（子端末）が通信方式Ａのみを採用し、端末装置Ｚ（孫端末）が通信方式ＡとＢを採用している。この場合には、親端末（端末装置Ｘ）から子端末（端末装置Ｙ）へ無線設定情報が転送されると、子端末（端末装置Ｙ）は、通信方式Ａしか採用していないので、通信方式Ａの設定情報ａのみを孫端末（端末装置Ｚ）へ転送し、通信方式Ｂの設定情報ｂは孫端末（端末装置Ｚ）に転送されない。したがって、孫端末（端末装置Ｚ）では、通信方式Ｂも採用しているにもかかわらず、通信方式Ａでの無線接続設定しか行うことができず、通信方式Ｂで無線接続設定を行うことができないという問題があった。
【０００８】
本発明は、上記従来の問題を解決するためになされたもので、複数の端末装置間で無線設定情報を次々に転送することのできる端末装置を提供することを目的とする。
【課題を解決するための手段】
【０００９】
本発明の端末装置は、複数の端末装置間において無線設定情報が転送される端末装置であって、無線設定情報の転送元である第１の他の端末装置から、複数の通信方式に対応する複数の無線設定情報を含んだ無線設定情報セットを受信する受信手段と、前記無線設定情報セットの中で自装置が採用している通信方式に対応する無線設定情報を再構成する再構成手段と、前記無線設定情報セットの中で自装置が採用していない通信方式に対応する無線設定情報と前記再構成された無線設定情報とを含んだ無線設定情報セットを、新しい無線設定情報セットとして保存する保存手段と、前記新しい無線設定情報セットを、無線設定情報の転送先である第２の他の端末装置へ転送する転送手段と、を備えた構成を有している。
【００１０】
この構成により、転送元の端末装置（第１の他の端末装置）から複数の無線設定情報（例えば、無線設定情報ａ、ｂ）を含んだ無線設定情報セットを受信すると、その無線設定情報セットの中で自装置が採用している通信方式に対応する無線設定情報（例えば、無線設定情報ａ）が再構成され、その無線設定情報セットの中で自装置が採用していない通信方式に対応する無線設定情報（例えば、無線設定情報ｂ）と再構成された無線設定情報（例えば、無線設定情報ａ’）を含んだ新しい無線設定情報セットが保存される。そして、端末装置が他の端末装置（第２の他の端末装置）へ無線設定情報を転送するときには、その新しい無線設定情報セットが転送される。
【００１１】
このようにして、端末装置が他の端末装置（第１の他の端末装置）から無線設定情報を受信すると、自装置が採用している通信方式に対応する無線設定情報だけではなく、自装置が採用していない通信方式に対応する無線設定情報までも、無線設定情報セットに含めて他の端末装置（第２の他の端末装置）に転送することができる。したがって、複数の端末装置間で無線設定情報が次々に転送されていく途中に、ある通信方式を採用していない端末装置が介在した場合であっても、最初の端末装置から転送されたすべての無線設定情報が、その途中の端末装置で途絶えることなく最後の端末装置まで転送される。
【００１２】
また、本発明の端末装置は、無線通信を行うときに自装置が採用する通信方式の優先度に基づいて、前記第１の他の端末装置から受信した前記無線設定情報セットの中で自装置が採用している通信方式に対応する無線設定情報の優先度を設定する優先度設定手段を備え、前記保存手段は、前記優先度が設定された無線設定情報と前記優先度が設定されていない無線設定情報とを含んだ無線設定情報セットを、前記新しい無線設定情報セットとして保存し、前記転送手段は、前記優先度が設定された無線設定情報と前記優先度が設定されていない無線設定情報とを含んだ前記新しい無線設定情報セットを、前記第２の他の端末装置へ転送する構成を有している。
【００１３】
この構成により、転送元の端末装置（第１の他の端末装置）から複数の無線設定情報（例えば、無線設定情報ａ、ｂ）を含んだ無線設定情報セットを受信すると、その無線設定情報セットの中で自装置が採用している通信方式に対応する無線設定情報に優先度が設定され、優先度が設定された無線設定情報と優先度が設定されていない無線設定情報とを含んだ新しい無線設定情報セットが保存される。そして、端末装置が他の端末装置（第２の他の端末装置）へ無線設定情報を転送するときには、優先度が設定された無線設定情報と優先度が設定されていない無線設定情報とを含んだ新しい無線設定情報セットが転送される。
【００１４】
このようにして、端末装置が他の端末装置（第１の他の端末装置）から無線設定情報を受信すると、優先度が設定された無線設定情報だけではなく、優先度が設定されていない無線設定情報までも、無線設定情報セットに含めて他の端末装置（第２の他の端末装置）に転送することができる。したがって、複数の端末装置間で無線設定情報が次々に転送されていく途中に、ある通信方式に優先度を設定しない端末装置が介在した場合であっても、最初の端末装置から転送されたすべての無線設定情報が、その途中の端末装置で途絶えることなく最後の端末装置まで転送される。
【００１５】
本発明の無線通信システムは、複数の端末装置間において無線設定情報が転送される無線通信システムであって、前記無線通信システムを構成する端末装置は、無線設定情報の転送元である第１の他の端末装置から、複数の通信方式に対応する複数の無線設定情報を含んだ無線設定情報セットを受信する受信手段と、前記無線設定情報セットの中で自装置が採用している通信方式に対応する無線設定情報を再構成する再構成手段と、前記無線設定情報セットの中で自装置が採用していない通信方式に対応する無線設定情報と前記再構成された無線設定情報とを含んだ無線設定情報セットを、新しい無線設定情報セットとして保存する保存手段と、前記新しい無線設定情報セットを、無線設定情報の転送先である第２の他の端末装置へ転送する転送手段と、を備えた構成を有している。
【００１６】
このシステムによっても、上記のように、複数の端末装置間で無線設定情報が次々に転送されていく途中に、ある通信方式を採用していない端末装置が介在した場合であっても、最初の端末装置から転送されたすべての無線設定情報が、その途中の端末装置で途絶えることなく最後の端末装置まで転送される。
【００１７】
本発明の方法は、複数の端末装置間において無線設定情報を転送する方法であって、無線設定情報の転送元である第１の他の端末装置から、複数の通信方式に対応する複数の無線設定情報を含んだ無線設定情報セットを受信し、前記無線設定情報セットの中で自装置が採用している通信方式に対応する無線設定情報を再構成し、前記無線設定情報セットの中で自装置が採用していない通信方式に対応する無線設定情報と前記再構成された無線設定情報とを含んだ無線設定情報セットを、新しい無線設定情報セットとして保存し、前記新しい無線設定情報セットを、無線設定情報の転送先である第２の他の端末装置へ転送する。
【００１８】
この方法によっても、上記のように、複数の端末装置間で無線設定情報が次々に転送されていく途中に、ある通信方式を採用していない端末装置が介在した場合であっても、最初の端末装置から転送されたすべての無線設定情報が、その途中の端末装置で途絶えることなく最後の端末装置まで転送される。
【発明の効果】
【００１９】
本発明は、複数の端末装置間で無線設定情報を次々に転送することができるという効果を有する端末装置を提供することができるものである。
【図面の簡単な説明】
【００２０】
【図１】本発明の実施の形態の無線通信システムにおいて無線設定情報が転送される様子を示す説明図
【図２】本発明の実施の形態における端末装置の構成を示すブロック図
【図３】本発明の実施の形態の無線通信システムにおいて無線設定情報が転送されるときの処理の流れを示すシーケンス図
【図４】本発明の実施の形態の端末装置において無線設定情報が転送されるときの処理の流れを示すフロー図
【図５】従来の無線通信システムにおいて無線設定情報が転送される様子を示す説明図
【図６】従来の無線通信システムにおいて無線設定情報が転送される様子を示す説明図
【発明を実施するための形態】
【００２１】
以下、本発明の実施の形態の端末装置について、図面を用いて説明する。本実施の形態では、運送業者用の可搬無線端末等に用いられる端末装置の場合を例示する。この端末装置は、他の端末装置から受信した無線設定情報をさらに他の端末装置へ転送する機能を備えている。この機能は、端末装置のメモリやハードディスク（ＨＤＤ）に格納されているプログラムによって実現される。
【００２２】
本発明の実施の形態の端末装置の構成を、図面を参照して説明する。図１は、本実施の形態の端末装置によって構成される無線通信システムの説明図であり、図２は、本実施の形態の端末装置の構成を示すブロック図である。
【００２３】
図１に示すように、無線通信システムは、複数の端末装置１によって構成されている。この無線通信システムでは、これら複数の端末装置１間において無線設定情報が転送される。これらの端末装置１では、複数の通信方法（無線ＬＡＮ、ブルートゥース（登録商標）、赤外線通信（ＩｒＤＡ）、ＵＳＢ（Ｕｎｉｖｅｒｓａｌ  Ｓｅｒｉａｌ  Ｂｕｓ）、ＷＷＡＮ（Ｗｉｒｅｌｅｓｓ  Ｗｉｄｅ  Ａｒｅａ  Ｎｅｔｗｏｒｋ）など）が採用され得る。なお、図１には、３つの端末装置１（端末装置Ｘ、Ｙ、Ｚ）が図示されているが、端末装置１の数がこれに限定されないのは言うまでもない。また、図１では、１つまたは２つの通信方式（通信方式Ａ、Ｂ）が採用されている場合が例示されているが、３つ以上の通信方式が採用されてよいことは勿論である。
【００２４】
ここでは、まず、図２を参照しながら、端末装置１の構成について説明する。図２に示すように、端末装置１は、他の端末装置１から複数の通信方式に対応する複数の無線設定情報を含んだ無線設定情報セットを受信する受信部２を備えている。例えば、図１の場合には、端末装置Ｙの受信部２は、端末装置Ｘから、二つの通信方式（通信方式Ａ、Ｂ）に対応する複数の無線設定情報（設定情報ａ、ｂ）を含んだ無線設定情報セットを受信する。
【００２５】
これらの無線設定情報には、例えば、ブルートゥース（登録商標）の設定情報（デバイスアドレス、ＢＴＡＰＩＰ（ブルートゥース（登録商標）  アクセスポイント  ＩＰアドレス）を使用するか否か、プロファイル、ＰＩＮコードなど）や、無線ＬＡＮの設定情報（ＥＳＳＩＤ（Ｅｘｔｅｎｄｅｄ  Ｓｅｒｖｉｃｅ  Ｓｅｔ  Ｉｄｅｎｔｉｆｉｅｒ）、ＢＳＳＩＤ（Ｂａｓｉｃ  Ｓｅｒｖｉｃｅ  Ｓｅｔ  Ｉｄｅｎｔｉｆｉｅｒ）、ＩＰネットワークの設定情報（ＤＨＣＰ（Ｄｙｎａｍｉｃ  Ｈｏｓｔ  Ｃｏｎｆｉｇｕｒａｔｉｏｎ  Ｐｒｏｔｏｃｏｌ）を使用するか否か、端末のＩＰアドレス、サブネットマスク、デフォルトゲートウェイのＩＰアドレス、ＤＮＳ（Ｄｏｍａｉｎ  Ｎａｍｅ  Ｓｙｓｔｅｍ）サーバのＩＰアドレス）等が含まれる。
【００２６】
この端末装置１は、これら複数の無線設定情報を含んだ無線情報セットを他の端末装置１に転送する処理を行なうための制御部３を備えている。図２に示すように、制御部３は、無線情報セットの中で自装置が採用している通信方式に対応する無線設定情報を再構成する再構成部４を備えている。例えば、図１の場合には、端末装置Ｙの再構成部４は、自装置が通信方式Ａのみを採用しているので、無線設定情報セットの中でその通信方式Ａに対応する無線設定情報ａを自装置用の無線設定情報ａ’に再構成する。
【００２７】
ここで、無線設定情報の再構成についてより具体的に説明すると、例えば、自装置が採用している通信方式がブルートゥース（登録商標）の場合には、転送元の端末装置１と違うアクセスポイントを使用するときに、デバイスアドレスの情報を自装置用に書き換えることによって、無線設定情報が再構成される。また、自装置が採用している通信方式が無線ＬＡＮの場合には、転送元の端末装置１と違うアクセスポイントを使用するときに、ＥＳＳＩＤ、ＢＳＳＩＤの情報を自装置用に書き換えることによって、無線設定情報が再構成される。
【００２８】
また、制御部３は、上記のように再構成部４によって自装置用に再構成された無線設定情報と、無線情報セットの中で自装置が採用していない通信方式に対応する無線設定情報とを含んだ新しい無線設定情報セット（自装置用の無線設定情報セット）を、メモリ５に保存する保存処理部６を備えている。例えば、図１の場合には、端末装置Ｙの保存処理部６は、自装置用に再構成された設定情報ａ’と、自装置が採用していない通信方式Ｂに対応する無線設定情報ｂを、新しい無線設定情報セットとしてメモリ５に保存する。
【００２９】
端末装置１は、この新しい無線設定情報セットを他の端末装置１へ転送するための送信部７を備えている。例えば、図１の場合には、端末装置Ｙの送信部７は、設定情報ａ’と設定情報ｂを含んだ無線設定情報セットを、端末装置Ｚに転送する。
【００３０】
また、制御部３は、無線設定情報セットの中で自装置が採用している通信方式に対応する無線設定情報の優先度を設定する優先度設定部８を備えている。例えば、図１の場合、端末装置Ｙの優先度設定部８は、自装置が通信方式Ａのみを採用しているので、通信方式Ａに対応する設定情報ａ’に優先度「１」を設定する。この場合、通信方式Ｂに対応する設定情報ｂには優先度が設定されない。なお、端末装置Ｙが、通信方式Ａのほかに通信方式Ｃも採用している場合には、二つの設定情報（通信方式Ａに対応する設定情報ａ’と通信方式Ｃに対応する設定情報ｃ）に優先度がそれぞれ設定される。
【００３１】
この優先度設定部８は、無線通信を行うときに自装置が採用する通信方式の優先度に基づいて、無線設定情報の優先度を設定する。通信方式の優先度は、例えば、無線通信の通信速度や通信可能エリアの広さ、無線通信の課金システム、通信のセキュリティ面などに応じて予め決められている。より具体的に説明すると、ブルートゥース（登録商標）と無線ＬＡＮとでは、無線ＬＡＮのほうがブルートゥース（登録商標）のよりも通信方式の優先度が高く、例えば、無線ＬＡＮの設定情報は優先度「１」に設定され、ブルートゥース（登録商標）の設定情報は優先度「２」に設定される。セキュリティの観点から通信範囲が狭いブルートゥース（登録商標）を優先度「１」、無線ＬＡＮを優先度「２」としても良い。
【００３２】
この場合、保存処理部６は、優先度が設定された無線設定情報（例えば設定情報ａ’）と優先度が設定されていない無線設定情報（例えば設定情報ｂ）とを含んだ無線設定情報セットを、新しい無線設定情報セットとして保存しているともいえる。また、送信部７は、優先度が設定された無線設定情報（例えば設定情報ａ’）と優先度が設定されていない無線設定情報（例えば設定情報ｂ）とを含んだ新しい無線設定情報セットを、他の端末装置１へ転送するともいえる。
【００３３】
なお、この端末装置１は、電子証明書を用いた認証を行なう機能を備えていてもよい。そして、認証に使用される電子証明書がグループ共通証明書である場合には、端末装置１（例えば端末装置Ｙ）が、受信部２で他の端末装置１（例えば端末装置Ｘ）から受信した電子証明書（グループ共通証明書）をメモリ５に保存しておき、送信部７からさらに他の端末装置１（例えば端末装置Ｚ）へその電子証明書（グループ共通証明書）を転送してもよい。
【００３４】
以上のように構成された端末装置１について、図面を参照してその動作を説明する。
【００３５】
ここでは、まず、図３を参照して、システム全体の処理の流れを説明する。図３は、本実施の形態の無線通信システムにおいて、無線設定情報が転送されるときの処理の流れを示すシーケンス図である。図３に示すように、無線設定情報の転送元である端末装置Ｘから端末装置Ｙに無線設定情報セットが転送されると（Ｓ１）、端末装置Ｙでは、その無線情報セットの中で自装置が採用している通信方式に対応する無線設定情報を再構成し（Ｓ２）、再構成された無線設定情報と、無線情報セットの中で自装置が採用していない通信方式に対応する無線設定情報とを含んだ新しい無線設定情報セットを保存する（Ｓ３）。そして、新しい無線設定情報セットを、無線設定情報の転送先である端末装置Ｚへ転送する（Ｓ４）。
【００３６】
図１の具体例を挙げて説明すると、まず、端末装置Ｘから端末装置Ｙに、設定情報ａ、ｂを含んだ無線設定情報セットが転送されると（Ｓ１）、端末装置Ｙでは、自装置が採用している通信方式Ａに対応する設定情報ａの再構成が行われ（Ｓ２）、自装置用に再構成された設定情報ａ’と、自装置が採用していない通信方式Ｂに対応する無線設定情報ｂが、新しい無線設定情報セットとしてメモリ５に保存される（Ｓ３）。そして、設定情報ａ’と設定情報ｂを含んだ無線設定情報セットが、端末装置Ｚに転送される（Ｓ４）。
【００３７】
つぎに、図４を参照しながら、端末装置１における処理の流れを説明する。図４は、本実施の形態の端末装置１において、無線設定情報が転送されるときの処理の流れを示すフロー図である。図４に示すように、端末装置１（例えば端末装置Ｙ）では、まず、他の端末装置１（例えば端末装置Ｘ）から無線設定情報セットを受信したときに（Ｓ１０）、その無線設定情報セットの中に含まれる設定情報を一つ選択し（Ｓ１１）、その選択した設定情報が自装置で採用している通信方式に対応しているか否かの判断を行う（Ｓ１２）。
【００３８】
その設定情報が自装置で採用している通信方式に対応する設定情報である場合には、その設定情報（例えば設定情報ａ）を自装置用に再構成する（Ｓ１３）。その設定情報が自装置で採用している通信方式に対応する設定情報でない場合には、その設定情報（例えば設定情報ｂ）の再構成は行われない。そして、無線設定情報セットの中に含まれるすべての設定情報について、上記の処理（ステップＳ１１〜Ｓ１３の処理）が終了したら（Ｓ１４）、それらの設定情報（例えば、設定情報ａ’と設定情報ｂ）を新しい設定情報セットとしてメモリ５に保存する（Ｓ１５）。
【００３９】
そして、無線設定情報セットを転送する場合には（Ｓ１６）、その新しい設定情報セット（例えば、設定情報ａ’と設定情報ｂを含んだ設定情報セット）をさらに他の端末装置１（例えば端末装置Ｚ）へ転送する（Ｓ１７）。
【００４０】
このような本発明の実施の形態の端末装置１によれば、複数の端末装置１間で無線設定情報を次々に転送することができる。
【００４１】
すなわち、本実施の形態では、端末装置Ｙが転送元の端末装置Ｘから複数の無線設定情報ａ、ｂを含んだ無線設定情報セットを受信すると、その無線設定情報セットの中で自装置が採用している通信方式に対応する無線設定情報ａが再構成され、その無線設定情報セットの中で自装置が採用していない通信方式に対応する無線設定情報ｂと再構成された無線設定情報ａ’を含んだ新しい無線設定情報セットが保存される。そして、端末装置Ｙが他の端末装置Ｚへ無線設定情報を転送するときには、その新しい無線設定情報セットが転送される。
【００４２】
このようにして、端末装置Ｙが他の端末装置Ｘから無線設定情報を受信すると、自装置が採用している通信方式に対応する無線設定情報ａ’だけではなく、自装置が採用していない通信方式に対応する無線設定情報ｂまでも、無線設定情報セットに含めて他の端末装置Ｚに転送することができる。したがって、複数の端末装置Ｘ、Ｙ、Ｚ間で無線設定情報が次々に転送されていく途中に、ある通信方式Ｂを採用していない端末装置Ｙが介在した場合であっても、最初の端末装置Ｘから転送されたすべての無線設定情報ａ、ｂ（設定情報ａが再構成された場合には設定情報ａ’、ｂ）が、その途中の端末装置Ｙで途絶えることなく最後の端末装置Ｚまで転送される。
【００４３】
また、本実施の形態では、転送元の端末装置Ｘから複数の無線設定情報ａ、ｂを含んだ無線設定情報セットを受信すると、その無線設定情報セットの中で自装置が採用している通信方式Ａに対応する無線設定情報ａ（設定情報ａが再構成された場合には設定情報ａ’）に優先度が設定され、優先度が設定された無線設定情報ａ（または設定情報ａ’）と優先度が設定されていない無線設定情報ｂとを含んだ新しい無線設定情報セットが保存される。そして、端末装置Ｙが他の端末装置Ｚへ無線設定情報を転送するときには、優先度が設定された無線設定情報ａ（または設定情報ａ’）と優先度が設定されていない無線設定情報ｂとを含んだ新しい無線設定情報セットが転送される。
【００４４】
このようにして、端末装置Ｙが他の端末装置Ｘから無線設定情報ａ、ｂを受信すると、優先度が設定された無線設定情報ａ（または設定情報ａ’）だけではなく、優先度が設定されていない無線設定情報ｂまでも、無線設定情報セットに含めて他の端末装置Ｚに転送することができる。したがって、複数の端末装置Ｘ、Ｙ、Ｚ間で無線設定情報が次々に転送されていく途中に、ある通信方式Ｂに優先度を設定しない端末装置Ｙが介在した場合であっても、最初の端末装置Ｘから転送されたすべての無線設定情報ａ、ｂ（設定情報ａが再構成された場合には設定情報ａ’、ｂ）が、その途中の端末装置Ｙで途絶えることなく最後の端末装置Ｚまで転送される。
【００４５】
このような本実施の形態の端末装置１を、運送業者用の可搬無線端末に適用した場合には、例えば、以下のような作用効果が奏される。運送業者の営業所に旧式の端末装置Ｙが配備されており、製造元メーカーが最新式の端末装置Ｘを開発した場合に、本実施の形態の端末装置１であれば、製造元メーカーの端末装置Ｘから営業所の旧式の端末装置Ｙへ設定情報を転送しておけば、その後（例えば、運送業界の繁忙期がきたとき臨時に）、営業所が最新式の端末装置Ｚを導入したときに、従来であれば、再度、製造元メーカーの端末装置Ｘから端末装置Ｚに設定情報の転送作業を行う必要があるのに対して（図５参照）、本発明では、旧式の端末装置Ｙから最新式の端末装置Ｚに設定情報を転送することができる（図１参照）。
【００４６】
以上、本発明の実施の形態を例示により説明したが、本発明の範囲はこれらに限定されるものではなく、請求項に記載された範囲内において目的に応じて変更・変形することが可能である。
【産業上の利用可能性】
【００４７】
以上のように、本発明にかかる端末装置は、複数の端末装置間で無線設定情報を次々に転送することができるという効果を有し、運送業者用の可搬無線端末等として有用である。
【符号の説明】
【００４８】
１  端末装置
２  受信部
３  制御部
４  再構成部
５  メモリ
６  保存処理部
７  送信部
８  優先度設定部
【図１】
2011061282.tif 000003
【図２】
2011061282.tif 000004
【図３】
2011061282.tif 000005
【図４】
2011061282.tif 000006
【図５】
2011061282.tif 000007
【図６】
2011061282.tif 000008